(57)【要約】【課題】  本発明は、安価な竹材を多量に使用でき、しかも長期間の使用にも充分に耐えることのできる竹製基礎材及び当該竹製基礎材を用いた法枠装置又は柵渠装置を提供することを目的とするものである。【解決手段】  本発明による竹製基礎材胴部は、大径をなし、略直線状をなす竹材を選択すると共に、該竹材を所定の長さに切断し、かつ節をくり抜いて略円筒パイプ状とし、貫通した中空部には高流動モルタルを充填して固化させ、外側を竹材、内側を棒状コンクリート部材の二重構造状構築用基礎材に形成したことを特徴とする。【選択図】  図１
2005163441.tif 000002
【特許請求の範囲】
【請求項１】
胴部が大径をなし、略直線状をなす竹材を選択すると共に、該竹材を所定の長さに切断し、かつ節をくり抜いて略円筒パイプ状とし、貫通した中空部には高流動モルタルを充填して固化させ、外側を竹材、内側を棒状コンクリート部材の二重構造状構築用基礎材に形成したことを特徴とする竹製基礎材。
【請求項２】
胴部が大径をなし、略直線状をなす竹材を選択すると共に、該竹材を所定の長さに切断し、かつ節をくり抜いて略円筒パイプ状とし、貫通した中空部には長さ方向に延出する複数本の補強筋を配筋すると共に、高流動モルタルを充填して固化させ、外側を竹材、内側を棒状コンクリート部材の二重構造状構築用基礎材に形成したことを特徴とする竹製基礎材。
【請求項３】
請求項１または請求項２記載の竹製基礎材と、該竹製基礎材を連結する連結具と、
を有し、
前記連結具は、略十字形状の円筒状をなしたパイプ部材により構成されてなり、
前記連結具の略円筒状部分先端開口に前記竹製基礎材端部を挿入連結して、格子形状竹製法枠材を形成し、
前記竹製法枠材を法面に配置すると共に、該竹製法枠材の上方から固定アンカー部材を法面地中に打設して係止したことを特徴とする竹製法枠装置。
【請求項４】
請求項１または請求項２記載の竹製基礎材と、該竹製基礎材を連結する連結具と、
を有し、
前記連結具は、可撓性を有する平面略十字形状をなし、かつ該十字形状の先端部を幅広部としてなり、
前記連結具の十字部分に前記竹製基礎材の端部を各々載置して略直交状態とし、前記それぞれの竹製基礎材外周部を前記幅広部で被覆し、締結部材で締結して格子形状の竹製法枠材としてなり、
前記竹製法枠材を法面に配置すると共に、該竹製法枠材を法面に係止したことを特徴とする竹製法枠装置。
【請求項５】
請求項１または請求項２記載の竹製基礎材を複数本用意し、該竹製基礎材を幅方向に複数本並べ掘削された溝の両側面に側壁として配置すると共に、該側壁と溝壁との間には溝壁側に漏水防止シートを、側壁側には竹炭を材料として形成した浄化促進シートを取り付け、
該溝の底部には前記浄化促進シートを敷設した、
ことを特徴とする竹製柵渠装置。
【発明の詳細な説明】
【技術分野】
【０００１】
本発明は、例えば盛土法面に設置した竹製法枠装置及び竹製柵渠装置に関するものである。
【背景技術】
【０００２】
従来は、例えば盛土法面の保護工事においては、コンクリートブロック枠や金網枠、プラスチック枠が使用されており、組み立てられた枠内に厚層基礎材等の緑化を行い法面の安定化を図っていた。
【０００３】
また、従来は小河川や農業用水路にコンクリート製品で作られたＵ字溝が主に使用されてきた。
【０００４】
しかして、従来から法面に設置する法枠や小河川等に設置する柵渠は多数提案されているものの、竹材と該竹材中空部内に高流動モルタルを充填し固化し、外側を自然部材である竹材で、内部は丈夫な耐久性のあるコンクリート部材で構成した法枠又は柵渠は全く開示されてはいなかった。
【特許文献１】特開２００３−１０６０８５号公報
【発明の開示】
【発明が解決しようとする課題】
【０００５】
かくして、本発明は、上記従来の課題に対処すべく創案されたものであって、例えば盛土法面の保護工事に用いられる法枠に、竹材と該竹材中空部内に高流動モルタルを充填して固化し、外側を自然部材である竹材で、内部は丈夫な耐久性のあるコンクリート部材で構成した基礎材を用いること等で、安価な竹材を多量に使用でき、しかも長期間の使用にも充分に耐えることのできる竹製基礎材及び当該竹製基礎材を用いた法枠装置又は柵渠装置を提供することを目的とするものである。
【課題を解決するための手段】
【０００６】
本発明における竹製基礎材は、
胴部が大径をなし、略直線状をなす竹材を選択すると共に、該竹材を所定の長さに切断し、かつ節をくり抜いて略円筒パイプ状とし、貫通した中空部には高流動モルタルを充填して固化させ、外側を竹材、内側を棒状コンクリート部材の二重構造状構築用基礎材に形成したことを特徴とし、
または、
胴部が大径をなし、略直線状をなす竹材を選択すると共に、該竹材を所定の長さに切断し、かつ節をくり抜いて略円筒パイプ状とし、貫通した中空部には長さ方向に延出する複数本の補強筋を配筋すると共に、高流動モルタルを充填して固化させ、外側を竹材、内側を棒状コンクリート部材の二重構造状構築用基礎材に形成したことを特徴とし、
または、
前記の竹製基礎材と、該竹製基礎材を連結する連結具と、
を有し、
前記連結具は、略十字形状の円筒状をなしたパイプ部材により構成されてなり、
前記連結具の略円筒状部分先端開口に前記竹製基礎材端部を挿入連結して、格子形状竹製法枠材を形成し、
前記竹製法枠材を法面に配置すると共に、該竹製法枠材の上方から固定アンカー部材を法面地中に打設して係止したことを特徴とし、
または、
前記の竹製基礎材と、該竹製基礎材を連結する連結具と、
を有し、
前記連結具は、可撓性を有する平面略十字形状をなし、かつ該十字形状の先端部を幅広部としてなり、
前記連結具の十字部分に前記竹製基礎材の端部を各々載置して略直交状態とし、前記それぞれの竹製基礎材外周部を前記幅広部で被覆し、締結部材で締結して格子形状の竹製法枠材としてなり、
前記竹製法枠材を法面に配置すると共に、該竹製法枠材を法面に係止したことを特徴とし、
または、
竹製基礎材を複数本用意し、該竹製基礎材を幅方向に複数本並べ掘削された溝の両側面に側壁として配置すると共に、該側壁と溝壁との間には溝壁側に漏水防止シートを、側壁側には竹炭を材料として形成した浄化促進シートを取り付け、
該溝の底部には前記浄化促進シートを敷設した、
ことを特徴とするものである。
【発明の効果】
【０００７】
本発明による法面に設置される竹製法枠装置であれば、外側を自然部材である竹材で構成するため外観的に美しく、内部には丈夫な耐久性のあるコンクリート部材で構成してあるため長期間の耐久性を有する二重構造からなる基礎材を用いることで、安価な竹材を多量に使用でき、しかも長期間の使用にも充分に耐えるとの優れた効果を奏する。
【０００８】
また、本発明による竹製柵渠装置であれば、上記の優れた効果のほか竹炭により構成された浄化促進シートにより小河川や農業用水路を流れる水の水質をも向上できるという優れた効果を奏する。
【発明を実施するための最良の形態】
【０００９】
以下、本発明の実施例を図に基づいて説明する。
【実施例】
【００１０】
ところで、近年孟宗竹を代表する竹林の拡大繁殖が話題になっている。特に静岡県においては竹林面積が１９９８年には３８６０ｈａだったが、２０００年には５１８０ｈａとなり、拡大の一途を辿っている。
【００１１】
竹林はかつて竹の子や竹材を生産するために維持、管理されてきたが、いわゆるプラスチックの登場により竹材の利用は激減した。
【００１２】
近年、竹の子も安価な中国産が大量に入荷するようになり、生産も減少している。
【００１３】
その結果、竹林が放置され、周辺の森林や農地にその勢力を拡大している。
（竹林拡大の仕組み）
孟宗竹は毎年、地下茎を伸ばして竹の子を出す。この竹の子はわずか３ヶ月ほどで１０ｍから２０ｍの竹に成長する。
【００１４】
竹林の地上に生育する植物は日が当たらず、生育空間がなくなり枯れてしまう。
【００１５】
竹林は、竹の子や竹材の生産に利用されている間は、毎年刈り取られるため本数が調整されているが、放置されれば人も入れぬ藪状態となり、竹林の外に地下茎を伸ばして広がっていく。
【００１６】
ある研究によれば、竹林の拡大速度は年間約２乃至３ｍで、場所によっては年間６ｍを超えるスピードで広がっているところも見られる。
（放置竹林の問題点）
竹林は過去雑木林や田畑と一体となって美しい里山の景観を作っていたが、竹林が拡大し一面が竹林になってしまい景観が見るも無残な姿になってきた。
【００１７】
竹林は背が高く密生するため、竹林の中では光や空間が不足し、他の植物が育たない。そのため、そこに生息する動物の数も減ってしまう。
【００１８】
杉、桧の人工林は孟宗竹が侵入するとその勢いに負けて枯れてしまう。果樹園や茶畑、野菜畑にも地下茎が伸びて、放っておくと竹林に変わってしまう。
【００１９】
孟宗竹は最大５０ｃｍまでの深さで根を張るため、他の樹木に比べて比較的浅く地盤の強度を保持しにくく、ひとたび降雨災害等にあった場合土砂崩壊を起こす可能性が高い。
（竹材の利用）
放置竹林がこのまま拡大すれば里山の崩壊に繋がるばかりでなく、動植物の生態系に大きな影響を与え、災害による被害が広範囲に広がる恐れがあることから、竹材の利用が急務となっている。
【００２０】
一部に竹細工や竹炭焼きを行い楽しみながら里山の保全に取り組む団体もあるが、竹林の拡大に追いついていけないのが現状である。また、竹林のほとんどが私有地であり地主の意識改革がなければ成否はほとんど困難である。
【００２１】
竹材の価値が上がり労働の対価が得られれば、地主は必ず竹林の整備を行うことは明白である。
【００２２】
竹材の利用を考える上で最も大事なことは大量に使用できる方法を考えることである。
【００２３】
また、竹の一部だけでなく、一本全てを使い切るのが望ましく、太さに応じた利用方法を考案することが重要となってくる。
【００２４】
まず、図１は、竹製法枠装置についての実施例を示すものである。
【００２５】
本発明では、胴部が大径の孟宗竹等の竹材を使用し、胴部が大径をなし、なるべく直線状のものを選択して所定の長さに切断してある。
【００２６】
かかる場合に、竹材の長さを例えば１．０〜１．５ｍに切断するのが、材料も入手しやすいため望ましい。
【００２７】
この切断した竹材の節をくり抜いて、略円筒パイプ状の竹材とし、貫通した中空部には長さ方向に延出する複数本の補強筋１５を配筋すると共に、高流動モルタルを充填し、充填した高流動モルタルを固化させ、外側を自然部材たる竹材で、内側は耐久性ある棒状コンクリート部材２０の二重構造状構築用基礎材に形成してなり、もって竹製基礎材１としてある。
【００２８】
そして、この様に二重構造にした竹製基礎材１を連結具２で連結することにより、竹製法枠材３が形成できる。
【００２９】
ここで、前記連結具２は、図３から理解されるように、略円筒状をなし、かつ略十字形状をなしたパイプ部材により構成されている。そして、かかる略円筒状部分先端開口は、竹製基礎材１の端部を挿入できるほどの内径となっている。
【００３０】
このように構成された連結具２の四つの略円筒状部分先端開口に前記竹製基礎材１をそれぞれ挿入して、格子形状をした竹製法枠材３が構成される。
【００３１】
そして、該竹製法枠材３を法面４に配置し、その上方から略Ｕ字形状をしたアンカー部材５を法面４地中に打設することにより係止するものとなる。
【００３２】
しかして、本発明の竹製法枠材３であれば、外観は竹材として現れているため、自然にマッチした安らぎの形状というる。
【００３３】
尚、長期間を経て該竹材は腐食し朽ちてしまうが、そのような場合であっても、竹材の内部に充填、固化した棒状コンクリート部材２０は依然として残存するため、長年にわたって法枠材としての機能を確保できる。
【００３４】
なお、竹製法枠材３の格子枠内に各種の草木等植物を植栽することで、植物の緑により美しい景観を作り出せると共に、法面の崩落防止を図ることができる。
【００３５】
次に、竹製法枠装置の他の実施例について説明する。
【００３６】
本発明は、胴部が大径の孟宗竹等の竹材を使用し、胴部が大径をなし、直線状のものを選択して所定の長さに切断する。かかる場合に、竹材の長さを１．０〜１．５ｍに切断するのが、材料も入手しやすいため望ましい。
【００３７】
この切断した竹材の節をくり抜いて、略円筒状の竹材とし、内部には高流動モルタルを充填し、充填した高流動モルタルを固化させることで、竹製基礎材１とする。
【００３８】
そして、図６乃至図８から理解されるように、可撓性を有する部材で形成され、平面形状をなし、かつ略十字形状をなし、四つの端部が幅広の形状とされた連結具６により、前記竹製基礎材１を連結することで、格子形状の竹製法枠材３を形成している。
【００３９】
連結に際しては、前記竹製基礎材１の上に該基礎材１の長手方向と平行に前記連結具６における十字部分の直線部を設置し、さらに該基礎材１と略直行する形で他の竹製基礎材１を直交する十字部分の直線部に載置する。
【００４０】
そして、前記それぞれの竹製基礎材１，１の外周に沿って前記連結具６の幅広部７を丸め、それぞれの幅広部７の上方から締結部材８により該竹製基礎材１，１を締結するものとする。
【００４１】
ここで、前記締結部材８は、可撓性を有する係止バンドのようなものが望ましいが、可撓性を有する環状の部材等でも良い。
【００４２】
このように構成された格子形状の竹製法枠材３を法面４に設置することにより、法面４の崩壊防止効果を得ることができる。しかも外見は竹材として現れているため安らぎの自然空間を醸し出すことができる。
【００４３】
なお、図には示していないが、前記竹製法枠材３上方から略Ｕ字形状をしたアンカー部材５等を法面４地中に打設することにより係止することが望ましい。
【００４４】
また、前記竹製法枠材３は、長い期間を経て腐食してしまうが、竹材の内部に充填した棒状コンクリート部材２０は依然として残存するため、法枠材としての機能は長期間にわたって確保できる。
【００４５】
この場合、外観は無機質なコンクリート面が現れるが、長期間経過したときには法枠内の草木が生い茂りコンクリート面は隠れてしまうことになる。
【００４６】
この様に、竹製法枠材の格子枠内に植栽することで、植物の緑により美しい景観を作出するとともに、法面の崩落防止を図ることができる。
【００４７】
図９は、例えば、溝９に形成した柵渠装置についての実施例を示すものである。
【００４８】
本発明では、胴部が大径の孟宗竹等の竹材を使用し、胴部が大径をなし、直線状のものを選択して所定の長さに切断する。
【００４９】
この切断した竹材の節をくり抜いて、略円筒状の竹材とし、内部には高流動モルタルを充填し、充填した高流動モルタルを固化させることで、竹製基礎材１とする。
【００５０】
そして、前記竹製基礎材１を幅方向に連続して複数本並べ、該竹製基礎材１の一端部を、例えば金属性部材により構成される連結具によって連結する。
【００５１】
図９及び図１０から理解されるように、溝９の内側面には、漏水防止シート１０，１０を略鉛直に延出して設置し、該漏水防止シート１０，１０の内側、すなわち竹製基礎材１を連結して平面状にし、側壁としたその外側には、浄化促進シート１１，１１を略鉛直に延出して設置してある。
【００５２】
この浄化促進シート１１は、竹炭を原材料として構成されているため、該竹炭の水質浄化作用により、溝９を流れる水の水質を浄化することができる。
【００５３】
尚、前記浄化促進シート１１，１１の内側には前記連結具で連結された竹製基礎材１・・・を略鉛直に立設されて側壁が形成されている。
【００５４】
また、図には示していないが、前記竹製基礎材１・・・は、タイロッド等によりバックアンカーを取ることで転倒防止を図ることが望ましい。
【００５５】
そして、溝９の底部には、コ字状部材１２の凹部開口側が内方に向くように、溝９の底部内側面に該コ字状部材１２，１２が設置される。
【００５６】
前記コ字状部材１２、１２の凹部には、前記漏水防止シート１０の端部が挿入され、該コ字状部材１２，１２の凹部に挿入されて係止された漏水防止シート１０の上方に、前記竹炭を原材料とした浄化促進シート１１が載置される。
【００５７】
このように、底部にも竹炭により構成される浄化促進シート１１を載置することで、溝９の流水の水質浄化を図ることができ、環境保護を図ることができる。
【００５８】
なお、前記竹製柵渠装置は、小河川等の溝への設置に限定されることはなく、農業用水路等にも利用することができるものである。
【００５９】
図１１は、例えば海岸沿いに設置される竹製防風柵装置についての実施例を示すものである。
【００６０】
本発明は、胴部が大径の孟宗竹等の竹材を使用し、胴部が大径をなし、直線状のものを選択して所定の長さに切断する。かかる場合に、竹材の長さを約４〜５ｍの長さに切断するのが望ましい。
【００６１】
この切断した竹材の節をくり抜いて、略円筒状の竹材とし、内部には高流動モルタルを充填し、充填した高流動モルタルを固化させることで、竹製基礎材１とすること前述の通りである。
【００６２】
この竹製基礎材１を、２本交叉させて略Ｘ字状に構築し、その交叉部分を亜鉛メッキされた鉄線１３等により構成された連結具で連結し、竹製防風柵基礎材１４とする。
【００６３】
そして、複数の竹製防風柵基礎材１４・・・を幅方向に平行に並べ、海岸沿いの地中に設置する。
【００６４】
その設置は、海岸沿いの地中約１ｍの深さに埋め込み、地上約２ｍの高さの竹製防風柵装置とすることで、強風にも耐え得るようにする。
【００６５】
なお、竹材内部に高流動モルタルを充填する際には、まず、一定の径を有する補強筋１５を方形状にして挿入し、その後、高流動モルタルを充填し、充填した高流動モルタルを固化させることが望ましい。これにより、強風にも倒壊することのない強固な竹製基礎材１で竹製防風柵装置を構成できる。
【００６６】
図１３は、例えば歩道と車道の境界に設置される竹製歩道用柵１９についての実施例を示すものである。
【００６７】
本発明は、胴部が大径の孟宗竹等の竹材を使用し、胴部が大径をなし、直線状のものを選択して所定の長さに切断する。
【００６８】
この切断した竹材の節をくり抜いて、略円筒状の竹材とし、内部には高流動モルタルを充填し、充填した高流動モルタルを固化させることで、竹製基礎材１とすることすでに述べたとおりである。
【００６９】
前記竹製基礎材１を複数本、略平行に所定の間隔をあけて並べ竹製支柱１６・・・とし、該竹製支柱１６・・・と他の竹製基礎材１により構成された複数本の竹製ビーム１７・・・とが、略直交する形で、金属性部材で構成された連結具により連結する。
【００７０】
そして、前記竹製支柱１６・・・の上端部は、該竹製支柱１６の外径と略同一の内径を有する竹製キャップ１８により覆われてなり、竹製基礎材１の内部に充填固化された高流動モルタルが外部から見えないように構成されることで、景観を損ねないようにしている。
【００７１】
このようにして構成された竹製歩道用柵１９を、歩道と車道の境界に所定の深さに埋め込むことにより設置される。
【００７２】
なお、竹材内部に高流動モルタルを充填する際には、まず、一定の径を有する補強筋１５を方形状に４本挿入し、その後、高流動モルタルを充填し、充填した高流動モルタルを固化させることが望ましい。そうすることにより、強固な竹製基礎材１とすることができるからである。
【産業上の利用可能性】
【００７３】
法面に設置される法枠装置に限らず、水路等の柵渠装置や、防風柵等、竹材を利用した構築用基礎材として活用することができる。
【図面の簡単な説明】
【００７４】
【図１】本発明の竹製法枠装置の概略構成を説明する平面図である。
【図２】本発明の竹製法枠装置を盛土法面に設置した状態を示す側面図である。
【図３】竹製法枠装置の連結具の概略構成を説明する平面図である。
【図４】竹製法枠装置の法面への係止状態を示した説明図（その１）である。
【図５】竹製法枠装置の法面への係止状態を示した説明図（その２）である。
【図６】第２の実施例における竹製基礎材の連結状態を示した説明図（その１）である。
【図７】第２の実施例における竹製基礎材の連結状態を示した説明図（その２）である。
【図８】第２の実施例における竹製法枠装置の連結具及び締結部材の概略構成を説明する平面図である。
【図９】本発明における竹製柵渠装置の概略構成を説明する説明図である。
【図１０】本発明における竹製柵渠装置の一部の概略構成を説明する断面図である。
【図１１】本発明における竹製防風柵装置の概略構成を説明する側面図である。
【図１２】本発明における竹製基礎材の概略構成を説明する概略断面図である。
【図１３】本発明における竹製歩道用柵の概略構成を説明する説明図である。
【符号の説明】
【００７５】
１  竹製基礎材
２  連結具
３  竹製法枠材
４  法面
５  アンカー部材
６  連結具
７  幅広部
８  締結部材
９  溝
１０  漏水防止シート
１１  浄化促進シート
１２  コ字状部材
１３  鉄線
１４  竹製防風柵基礎材
１５  補強筋
１６  竹製支柱
１７  竹製ビーム
１８  竹製キャップ
１９  竹製歩道用柵
２０  棒状コンクリート部材
【図１】
2005163441.tif 000003
【図２】
2005163441.tif 000004
【図３】
2005163441.tif 000005
【図４】
2005163441.tif 000006
【図５】
2005163441.tif 000007
【図６】
2005163441.tif 000008
【図７】
2005163441.tif 000009
【図８】
2005163441.tif 000010
【図９】
2005163441.tif 000011
【図１０】
2005163441.tif 000012
【図１１】
2005163441.tif 000013
【図１２】
2005163441.tif 000014
【図１３】
2005163441.tif 000015